(57)【要約】【課題】限られたスペースに設置できる装置でサイズの大きな基板等の屈折率と厚みとの積算値の分布を正確に検査できる透過波面計測装置及び透過波面計測方法を提供する。【解決手段】被検査物１００に発散光２０を照射する光源２と、被検査物１００の背面側に配された凹面鏡３と、凹面鏡３が反射した収束光３０を平行光４０に変換するレンズ４と、平行光４０を透過させ、回折光を形成する回折格子５と、回折光が形成す干渉縞を撮像する撮像手段６と、撮像データをフーリエ変換法で空間周波数スペクトルを演算し、そのデータにより被検査物１００の屈折率と厚みとの積算値の分布を演算する処理部７とを備え、レンズ４は、被検査物１００の像を撮像手段６上に共役結像させ、撮像手段６は、回折光がトールボット像を形成する位置に配置された透過波面計測装置１及びこの装置を用いた透過波面計測方法で課題を解決する。【選択図】図１
2015042967.tif 000002
【特許請求の範囲】
【請求項１】
被検査物に発散光を照射する光源と、
前記被検査物の背面側に配置された凹面鏡と、
前記凹面鏡によって反射された収束光を平行光に変換するレンズと、
前記レンズによって変換された前記平行光を透過させ、回折光を形成する回折格子と、
前記回折光により形成される干渉縞を撮像する撮像手段と、
前記干渉縞の撮像データをフーリエ変換法によって空間周波数スペクトルを演算し、該空間周波数スペクトルのデータに基づいて前記被検査物の屈折率と厚みとの積算値の分布を演算する処理部と、を備え、
前記レンズは、前記凹面鏡を反射して前記被検査物を透過した前記収束光に基づいて前記撮像手段上に前記被検査物の像を共役結像させ、
前記撮像手段は、前記回折光がトールボット像を形成する位置に配置されていることを特徴とする透過波面計測装置。
【請求項２】
前記回折格子は、複数のスリットが相互に交差して構成された２次元回折格子である、請求項１に記載の透過波面計測装置。
【請求項３】
前記光源は、前記レンズの光軸から該レンズの半径方向外側にずれた位置に配置されている、請求項１又は２に記載の透過波面計測装置。
【請求項４】
前記処理部は、前記凹面鏡を反射し、前記被検査物を透過した前記収束光に基づく前記回折光を撮像した撮像データから、前記凹面鏡を反射し、前記被検査物を透過せずに直接前記レンズに到達した前記収束光に基づく前記回折光を撮像した画像データを差し引いて前記被検査物の波面のデータを演算している、請求項１〜３のいずれか１項に記載の透過波面計測装置。
【請求項５】
前記処理部は、前記被検査物の屈折率の分布を演算しており、
前記処理部は、前記凹面鏡を反射し、前記被検査物を透過した前記収束光の光路を補正する補正手段を備え、
該補正手段は、前記被検査物を斜めに横切って進行した前記収束光の光路を、前記被検査物をその厚さ方向に直進する平行光の光路に変換している、請求項１〜４のいずれか１項に記載の透過波面計測装置。
【請求項６】
凹面鏡の正面に配置された被検査物に光源から発散光を照射する工程と、
前記凹面鏡が前記被検査物から所定の距離だけ離れ且つ、前記光源から光軸がずれた位置に配置されたレンズに向けて収束光を反射する工程と、
前記レンズが前記収束光を平行光に変換する工程と、
前記レンズと所定の間隔を空けて配置された２次元回折格子に前記平行光を透過させ、該回折格子によって回折光を形成する工程と、
前記回折光がトールボット像を形成する位置に配置された撮像手段で前記回折光を撮像する工程と、
前記撮像手段が撮像した前記トールボット像の画像データをフーリエ変換法によって空間周波数スペクトルを演算し、該空間周波数スペクトルのデータに基づいて前記被検査物の屈折率と厚みとの積算値の分布を演算する工程と、を備え、
前記レンズは、前記凹面鏡を反射して前記被検査物を透過した前記収束光に基づいて前記撮像手段上に前記被検査物の像を共役結像させていることを特徴とする透過波面計測方法。
【請求項７】
前記凹面鏡を反射し、前記被検査物を透過した前記収束光に基づく前記回折光を撮像した撮像データから、前記凹面鏡を反射し、前記被検査物を透過せずに直接前記レンズに到達した前記収束光に基づく前記回折光を撮像した画像データを差し引いて前記被検査物の波面のデータを演算する工程を備えている、請求項６に記載の透過波面計測方法。
【請求項８】
前記被検査物の屈折率の分布を演算する屈折率分布演算工程を備え、
該屈折率分布演算工程は、前記凹面鏡を反射し、前記被検査物を透過した前記収束光の光路を補正して演算する補正工程を有し、
該補正工程は、前記被検査物を斜めに横切って進行した前記収束光の光路を、前記被検査物をその厚さ方向に直進する平行光の光路に変換している、請求項６又は７に記載の透過波面計測方法。
【発明の詳細な説明】
【技術分野】
【０００１】
本発明は、被検査物を透過した光の波面を計測する透過波面計測装置及び被検査物を透過した光の波面を計測する透過波面計測方法に関し、さらに詳しくは、トールボット干渉計を利用した透過波面計測装置及び透過波面計測方法に関する。
【背景技術】
【０００２】
ガラス基板やプラスチック基板は、太陽電池パネル、カメラのフィルタ、液晶パネル眼鏡等、様々な用途に使用されている。こうした基板は、製造時に屈折むらが生じることがあり、その屈折むらは理想波面を歪ませてしまうという問題がある。基板の屈折むらを検査する手法の１つにマッハツェンダー干渉法を利用した装置がある。このマッハツェンダー干渉法とは、異なる光路を通った光を重ね合わせたときに生じる干渉を利用した干渉法である。より具体的には、同一の光源から出た光を二つに分けて別々の光路を通し、再び光を重ね合わせたときに、各光路を進行した光が位相のズレにより生じる干渉を起こし、明暗の縞となって表れることを利用したものである。しかし、マッハツェンダー干渉法を利用した装置は、装置の規模が大きくなる点、除振台が必要である点、計測可能な範囲が狭い点等の種々の問題がある。
【０００３】
一方、トールボット干渉法を利用して基板の屈折率のむら等を測定する技術が存在する。
【０００４】
特許文献１に提案されている技術は、被検査物の屈折率とは異なる屈折率を有する媒質と、第１の参照光と、この第１の参照光とは異なる波長を有する第２の参照光とを用い、被検査物の屈折率分布を求める計測装置に関するものである。この計測装置は、透過波面計測部と、基準透過波面取得部と、屈折率分布算出部とを備えている。
【０００５】
透過波面計測部は、媒質中に配置された被検査物に第１の参照光と第２の参照光とを入射させ、被検査物の透過波面である第１の透過波面及び第２の透過波面を計測している。基準透過波面取得部は、媒質中に配置した、既知の形状および屈折率分布を有する基準被検物に第１の参照光と第２の参照光とを入射させたときに得られる基準被検査物の透過波面である第１の基準透過波面と第２の基準透過波面とを取得している。屈折率分布算出部は、第１および第２の透過波面と第１および第２の基準透過波面とを用いて、被検査物の形状成分を除去した屈折率分布を算出している。
【先行技術文献】
【特許文献】
【０００６】
【特許文献１】特開２０１２−１１７９９９号公報
【発明の概要】
【発明が解決しようとする課題】
【０００７】
しかしながら、サイズが大きな基板の屈折率のむらの検査は、適切な検査装置が存在しないため、現状では生産された基板からサンプリングを行い、サンプリングされた基板を目視で検査することが行われている。サンプリングされた基板を目視して行う検査は、生産された基板のすべてを検査しないので、検査漏れが生じる。また、目視による正確な検査を行うためには、検査を正確に行うことができる人材を育成することが必要である。こうした人材を育成するには多大な費用と時間がかかる。
【０００８】
一方、特許文献１に提案されている技術は、被検査物を浸漬させる媒質と２つの光源とを用いるため、装置が複雑な構成になる。また、撮像手段は、被検査物に対して光源とは逆側の位置に配置されている。そのため、検査をする場合、広いスペースが必要になる。
【０００９】
本発明は、上記課題を解決するためになされたものであり、その目的は、（１）限られたスペースに設置することができ、（２）サイズの大きな被検査物の透過波面を計測することによって被検査物の屈折率と厚みとの積算値の分布を正確に検査することができる透過波面計測装置及び透過波面計測方法を提供することにある。
【課題を解決するための手段】
【００１０】
上記課題を解決するための本発明に係る透過波面計測装置は、被検査物に発散光を照射する光源と、前記被検査物の背面側に配置された凹面鏡と、前記凹面鏡によって反射された収束光を平行光に変換するレンズと、前記レンズによって変換された前記平行光を透過させ、回折光を形成する回折格子と、前記回折光により形成される干渉縞を撮像する撮像手段と、前記干渉縞の撮像データをフーリエ変換法によって空間周波数スペクトルを演算し、該空間周波数スペクトルのデータに基づいて前記被検査物の屈折率と厚みとの積算値の分布を演算する処理部と、を備え、前記レンズは、前記凹面鏡を反射して前記被検査物を透過した前記収束光に基づいて前記撮像手段上に前記被検査物の像を共役結像させ、前記撮像手段は、前記回折光がトールボット像を形成する位置に配置されていることを特徴とする。
【００１１】
この発明によれば、透過波面計測装置が被検査物の背面側に配置された凹面鏡を備えているので、被検査物の片側に光源、レンズ、回折格子及び撮像手段を配置することができるように透過波面計測装置を構成することができる。そのため、透過波面計測装置をコンパクトにすることができる。また、光源から被検査物に発散光を照射し、凹面鏡で収束光をレンズに照射するように構成しているので、サイズが大きな被検査物を検査することができる。また、レンズによって変換された平行光を透過させ、回折光を形成する回折格子と、回折光により形成される干渉縞を撮像する撮像手段とを備え、レンズが撮像手段上に被検査物の像を共役結像させ、撮像手段は、回折光がトールボット像を形成する位置に配置されているので、レンズが形成する共役結像とトールボット像の位置とを一致させることができる。そのため、共役結像して得られた被検査物の像と計測された位相分布とを正確に位置合わせすることができる。その結果、トールボット像である干渉縞の撮像データをフーリエ変換法によって得られたデータに基づいて被検査物の屈折率と厚みとの積算値の分布を正確に演算することができる。
【００１２】
本発明に係る透過波面計測装置において、前記回折格子は、複数のスリットが相互に交差して構成された２次元回折格子であることを特徴とする。
【００１３】
この発明によれば、回折格子が２次元回折格子なので、トールボット像である干渉縞を２方向に形成させることができる。そのため、本発明の透過波面計測装置は、形成された２方向の干渉縞を解析することにより、被検査物の屈折率と厚みとの積算値の分布を２方向について求めることができる。その結果、被検査物に存在するうねり等の欠陥を詳細に検査することができる。
【００１４】
本発明に係る透過波面計測装置において、前記光源は、前記レンズの光軸から該レンズの半径方向外側にずれた位置に配置されていることを特徴とする。
【００１５】
この発明によれば、光源がレンズの光軸からレンズの半径方向外側にずれた位置に配置されているので、凹面鏡が反射した収束光をレンズに透過させる際に、光源が障害物になることを防止することができる。なお、光源がレンズの光軸からレンズの半径方向外側にずれた位置に配置されていても、光源から発せられた光の光路長さは誤差が無視できる程度に小さいので、被検査物の計測に悪影響を与えることがない。
【００１６】
本発明に係る透過波面計測装置において、前記処理部は、前記凹面鏡を反射し、前記被検査物を透過した前記収束光に基づく前記回折光を撮像した撮像データから、前記凹面鏡を反射し、前記被検査物を透過せずに直接前記レンズに到達した前記収束光に基づく前記回折光を撮像した画像データを差し引いて前記被検査物の波面のデータを演算していることを特徴とする。
【００１７】
この発明によれば、凹面鏡を反射し、被検査物を透過した収束光に基づく回折光を撮像した撮像データから、凹面鏡を反射し、被検査物を透過せずに直接レンズに到達した収束光に基づく回折光を撮像した画像データを差し引く校正を行っているので、凹面鏡自体の屈折を計測結果から排除することができ、被検査物の屈折率の分布のみを正確に測定することができる。
【００１８】
本発明に係る透過波面計測装置において、前記処理部は、前記被検査物の屈折率の分布を演算しており、前記処理部は、前記凹面鏡を反射し、前記被検査物を透過した前記収束光の光路を補正する補正手段を備え、該補正手段は、前記被検査物を斜めに横切って進行した前記収束光の光路を、前記被検査物をその厚さ方向に直進する平行光の光路に変換していることを特徴とする。
【００１９】
この発明によれば、補正手段が被検査物を斜めに横切って進行した収束光の光路を、被検査物をその厚さ方向に直進する平行光の光路に変換する補正を行っているので、屈折率の分布を定量化する演算を行う際に、光路長さの誤差を演算結果から排除することができる。
【００２０】
上記課題を解決するための本発明に係る透過波面計測方法は、凹面鏡の正面に配置された被検査物に光源から発散光を照射する工程と、前記凹面鏡が前記被検査物から所定の距離だけ離れ且つ、前記光源から光軸がずれた位置に配置されたレンズに向けて収束光を反射する工程と、前記レンズが前記収束光を平行光に変換する工程と、前記レンズと所定の間隔を空けて配置された２次元回折格子に前記平行光を透過させ、該回折格子によって回折光を形成する工程と、前記回折光がトールボット像を形成する位置に配置された撮像手段で前記回折光を撮像する工程と、前記撮像手段が撮像した前記トールボット像の画像データをフーリエ変換法によって空間周波数スペクトルを演算し、該空間周波数スペクトルのデータに基づいて前記被検査物の屈折率と厚みとの積算値の分布を演算する工程とを備え、前記レンズは、前記凹面鏡を反射して前記被検査物を透過した前記収束光に基づいて前記撮像手段上に前記被検査物の像を共役結像させていることを特徴とする。
【００２１】
この発明によれば、凹面鏡の正面に配置された被検査物に光源から発散光を照射する工程と、凹面鏡が被検査物から所定の距離だけ離れ且つ、光源から光軸がずれた位置に配置されたレンズに向けて収束光を反射する工程とを備えているので、被検査物の片側に光源、レンズ、回折格子及び撮像手段を配置できるように透過波面計測装置を構成することができる。そのため、コンパクトな透過波面計測装置で透過波面計測方法を実施することができ且つ、サイズが大きな被検査物を検査することができる。また、レンズが収束光を平行光に変換する工程と、レンズと所定の間隔を空けて配置された２次元回折格子に平行光を透過させ、回折格子によって回折光を形成する工程と、回折光がトールボット像を形成する位置に配置された撮像手段で回折光を撮像する工程とを備え、レンズが凹面鏡を反射して被検査物を透過した収束光に基づいて撮像手段上に被検査物の像を共役結像させているので、レンズが形成する共役結像とトールボット像の位置とを一致させることができる。そして、撮像手段が撮像したトールボット像の画像データをフーリエ変換法によって被検査物の屈折率と厚みとの積算値の分布を演算する工程とを備えているので、トールボット像である干渉縞の撮像データをフーリエ変換法によって被検査物の屈折率と厚みとの積算値の分布を正確に演算することができる。その際、回折格子として２次元回折格子を用いるので、トールボット像を２方向に形成させ、２方向の解析することにより、被検査物に存在するうねり等の欠陥を詳細に検査することができる。
【００２２】
本発明に係る透過波面計測方法において、前記凹面鏡を反射し、前記被検査物を透過した前記収束光に基づく前記回折光を撮像した撮像データから、前記凹面鏡を反射し、前記被検査物を透過せずに直接前記レンズに到達した前記収束光に基づく前記回折光を撮像した画像データを差し引いて前記被検査物の波面のデータを演算する工程を備えていることを特徴とする。
【００２３】
この発明によれば、凹面鏡を反射し、被検査物を透過した収束光に基づく回折光を撮像した撮像データから、凹面鏡を反射し、被検査物を透過せずに直接レンズに到達した収束光に基づく回折光を撮像した画像データを差し引く校正を行う工程を有しているので、凹面鏡自体の屈折を計測結果から排除することができ、被検査物の屈折率の分布のみを正確に測定することができる。
【００２４】
本発明に係る透過波面計測方法において、前記被検査物の屈折率の分布を演算する屈折率分布演算工程を備え、該屈折率分布演算工程は、前記凹面鏡を反射し、前記被検査物を透過した前記収束光の光路を補正して演算する補正工程を有し、該補正工程は、前記被検査物を斜めに横切って進行した前記収束光の光路を、前記被検査物をその厚さ方向に直進する平行光の光路に変換していることを特徴とする。
【００２５】
この発明によれば、補正工程で被検査物を斜めに横切って進行した収束光の光路を、被検査物をその厚さ方向に直進する平行光の光路に変換する補正を行っているので、屈折率の分布を定量化する演算を行う際に、光路長さの誤差を演算結果から排除することができる。
【発明の効果】
【００２６】
本発明によれば、透過波面計測装置を限られたスペースに設置することができる。また、サイズの大きな被検査物の透過波面を計測することによって被検査物の屈折率と厚みとの積算値の分布を正確に検査することができる。
【図面の簡単な説明】
【００２７】
【図１】本発明の１実施形態に係る透過波面計測装置を模式的に示した概略図である。
【図２】図１に示した透過波面計測装置に用いられている２次元回折格子に形成されたスリットを模式的に示した概略図である。
【図３】透過波面計測装置を構成する凹面鏡、レンズ及び回折格子の位置関係を示す説明図である。
【図４】図２に示す２次元回折格子により形成されたトールボット像を模式的に示した概略図である。
【図５】回折格子によって形成される干渉縞の波形であり、（Ａ）は、トールボット距離での波形を示す説明図であり、（Ｂ）は、トールボット距離及びトールボット距離の半分の距離以外の位置での波形を示す説明図である。
【図６】図４に示したトールボット像の画像データをフーリエ変換して得られた空間周波数スペクトを示す説明図である。
【図７】１次スペクトルのデータに基づいて逆フーリエ変換を行う過程を模式的に示した説明図である。
【図８】被検査物を透過した収束光に基づく回折光を撮像した撮像データから、被検査物を透過せずに直接レンズに到達した収束光に基づく回折光を撮像した画像データを差し引く校正を模式的に示した説明図である。
【図９】被検査物を斜めに横切って進行した収束光の光路と、被検査物をその厚さ方向に直進する平行光の光路とを模式的に示した説明図である。
【図１０】トールボット像を撮像した画像を示す説明図である。
【図１１】図１０に示したトールボット像の画像データをフーリエ変換して得られた空間周波数スペクトを撮像した説明図である。
【図１２】凹面鏡のＸ方向及びＹ方向の表面位置とその位置の曲率との関係を理論式から求めた理論値と計測して得られた実測値とをプロットしたグラフである。
【図１３】位相分布のデータを積分して波面のデータを演算する工程を説明するために示した位相分の画像と波面の画像とを示す説明図である。
【図１４】凹面鏡の表面の状態を計測して得られた波面の状態を表すグラフである。
【図１５】サンプルとしてパンテク系ガラス基板を計測した際に得られたトールボット像を示す説明図である。
【図１６】図１５に示すサンプルのトールボット像の画像データに基づいて演算をして得られた位相分布の画像であり、（Ａ）はＸ方向の位相分布を示す説明図であり、（Ｂ）はＹ方向の位相分布を示す説明図である。
【図１７】図１５に示したサンプルのトールボット像の画像データに基づいて演算をして得られた波面の状態を表すグラフである。
【図１８】図１５に示したサンプルのトールボット像の画像データに基づいて演算をして得られた屈折率の変位分布を説明している説明図である。
【発明を実施するための形態】
【００２８】
以下、本発明の実施形態について図面を参照しながら説明する。なお、本発明の技術的範囲は、以下の記載や図面にのみ限定されるものではない。
【００２９】
［基本構成］
本発明の透過波面計測装置１は、被検査物１００に発散光２０を照射する光源２と、被検査物１００の背面側に配置された凹面鏡３と、凹面鏡３によって反射された収束光３０を平行光４０に変換するレンズ４と、レンズ４によって変換された平行光４０を透過させ、回折光を形成する回折格子５と、回折光により形成される干渉縞を撮像する撮像手段６と、干渉縞の撮像データをフーリエ変換法によって空間周波数スペクトルを演算し、該空間周波数スペクトルのデータに基づいて被検査物１００の屈折率と厚みとの積算値の分布を演算する処理部７とを備えている。また、撮像手段６は、回折光がトールボット像を形成する位置に配置されている。
【００３０】
こうした構成を有する透過波面計測装置１は、凹面鏡３の正面に配置された被検査物１００に光源２から発散光２０を照射する工程と、凹面鏡３が前記被検査物１００から所定の距離だけ離れ且つ、光源２から光軸がずれた位置に配置されたレンズ４に向けて収束光３０を反射する工程と、レンズ４が収束光３０を平行光４０に変換する工程と、レンズ４と所定の間隔を空けて配置された２次元回折格子５に平行光４０を透過させ、回折格子５によって回折光を形成する工程と、回折光がトールボット像を形成する位置に配置された撮像手段６でトールボット像を撮像する工程と、撮像手段６が撮像したトールボット像の画像データをフーリエ変換法によって空間周波数スペクトルを演算し、該空間周波数スペクトルのデータに基づいて前記被検査物１００の屈折率と厚みとの積算値の分布を演算する工程とを実施する。
【００３１】
本発明の透過波面計測装置１及び透過波面計測方法によれば、透過波面計測装置１を限られたスペースに設置することができるという特有の効果を奏することができる。また、サイズの大きな基板等の被検査物１００の透過波面を計測することによって、被検査物１００の屈折率と厚みとの積算値の分布を正確に検査することができるという特有の効果を奏することができる。
【００３２】
［基本原理］
本発明の透過波面計測装置１は、トールボット干渉計を利用した装置である。はじめに、トールボット効果及びトールボット干渉計について簡単に説明する。
【００３３】
位相が揃った平行光４０を回折格子５に照射した場合、平行光４０は回折格子５によって回折される。回折された回折光は互いに重ね合わされて干渉縞を形成する。この干渉縞の光強度、｜ｕ（ｘ，ｙ；ＺＴ）｜２は、次の（式１）により表すことができる。
【００３４】
【数１】
2015042967.tif 000003
【００３５】
（式１）のｕは干渉光の複素振幅、ｎ、ｍは回折格子５からの回折光の次数、Ａｎはｎ次の回折光の振幅、Ａｍはｍ次の回折光の振幅、＊は複素共役、ＺＴは回折格子からの距離、Ｚ０は回折格子５と凹面鏡３が反射した収束光の収束点の共役点との間の距離をそれぞれ表している。また、λは光源２が発する光の波長、ｄは回折格子５の回折ピッチ（周期）、Ｗは被検査物１００の収差をそれぞれ表している。
【００３６】
（式１）の位相項において、ＺＴ又はＺ０により周期的に変化する成分である。次の（式２）で表されるＮが整数となるようにＺＴ及びＺ０を選ぶことによって、回折格子５の直後の光強度分布が復元された干渉縞が形成される。そのため、（式２）に示されたＮが整数になる位置では、自己像が明確に形成される。この現象はトールボット効果といわれ、回折格子５とトールボット像との間の距離はトールボット距離といわれている。
【００３７】
【数２】
2015042967.tif 000004
【００３８】
回折格子５の前に物体を置いた場合、波面の伝播速度が物体の内部で変わるので、物体通過後の波面は歪み、回折格子５の自己像もこの歪みを反映して歪む。歪んだ自己像の投影画像には物体を反映した周期の乱れが発生する。この周期の乱れを検出することによって、この物体の屈折率の局所変化を定量的に画像化した微分位相画像を再構成することができる。こうした干渉計がトールボット干渉計である。以下、本発明の透過波面計測装置１の各構成について図面を適宜参照しながら説明する。
【００３９】
〈光源〉
図１に示す透過波面計測装置１は、波長が６３５ｎｍである単色光を発光するレーザーダイオードを光源２として用いている。この光源２によって照射される光は、光源２から広がるようにして進行する発散光２０であり、光源２が照射した光は凹面鏡３の正面に配置された被検査物１００の全体に照射される。
【００４０】
この光源２は、レンズ４の光軸の位置からレンズ４の半径方向外側にずれた位置に設置されている。より具体的には、光源２は、凹面鏡３によって反射され、レンズ４に向かって進行する収束光３０の光路よりもレンズ４の半径方向外側に配置されている。そのため、光源２は、レンズ４が収束光３０を集光する際の妨げになることがない。なお、光源２から照射された光が凹面鏡３によって反射され、レンズ４に到達するまでに光が進行する距離は、光源２はレンズ４の光軸から外れた位置に配置されているので、光軸上に光源２を設置した場合と比較すると長くなる。しかし、こうした光が進行する距離の誤差は無視することができる程小さいので、光源２の配置する位置は被検査物１００の波面測定に全く影響を与えない。
【００４１】
なお、図１に示す透過波面計測装置１に使用されている光源２は、波長が６３５ｎｍである単色光を発光するレーザーダイオードに限定されない。透過波面計測装置１に使用する光源２は、計測の対象、測定の精度、当該透過波面計測装置１で得たデータの処理の内容等その他の事情に応じて種々の波長の単色光を用いることができる。
【００４２】
〈凹面鏡〉
凹面鏡３は、光源２から照射された発散光２０を反射し、収束光３０をレンズ４に向けて照射させている。図１に示す透過波面計測装置１の凹面鏡３は、レンズ４との距離が１１５０ｍｍの位置に設置されておいる。凹面鏡の直径は１００ｍｍに形成され、その曲面の半径は１０００ｍｍに形成されている。凹面鏡３とレンズ４との距離は、レンズ４の光軸上の距離である。なお、凹面鏡３は、反射した収束光３０を被検査物１００の全体に透過することができる直径に形成されたものを用いればよい。また、凹面鏡３は、レンズ４に収束光３０を確実に照射することができるように凹面鏡３とレンズ４との距離に応じ、その曲面の半径が適切な寸法に形成されたものを用いればよい。なお、被検査物１００は、凹面鏡３の表面から１０００ｍｍ以下の距離だけ離れた位置に配置される。ただし、被検査物１００が光源２に相対的に近い位置に配置された場合、屈折率と厚みとの積算値の分布の計測結果は誤差が大きくなり且つ、正確に計測することができる被検査物１００のサイズは小さくなる。そのため、被検査物１００は、凹面鏡３に相対的に近い位置に配置することが好ましい。この場合の凹面鏡３の表面と被検査物１００との距離は光軸上の距離である。
【００４３】
〈レンズ〉
レンズ４は、両面が凸面に形成された凸レンズが用いられており、凹面鏡３によって反射された収束光３０を平行光４０に変換している。また、レンズ４は、凹面鏡３が反射し、被検査物１００を透過した収束光３０に基づいて、後述する撮像手段５上に被検査物１００の像を共役結像している。図１に示したレンズ４は、その焦点距離が１５０ｍｍである。ただし、レンズ４は、必要に応じて適切な焦点距離のものを選定すればよい。
【００４４】
〈回折格子〉
回折格子５は、レンズ４によって変換された平行光を透過させ、回折光を形成している。この回折格子５は２次元回折格子であり、図２に示すように、Ｘ方向に延びる複数のスリット５１とＹ方向に延びる複数のスリット５２とが相互に直交して構成されている。この回折格子５は、図３に示すように、レンズ４から（式３）のＺＧで表された距離だけ離れた位置に配置されている。なお、（式３）において、ｆはレンズの焦点距離、Ｒは、凹面鏡とレンズの焦点距離との間の距離、ｄは回折格子５の回折ピッチ（周期）、λは波長をそれぞれ表している。
【００４５】
【数３】
2015042967.tif 000005
【００４６】
この回折格子５は、その一面側から照射された光を透過させ、透過した光を他面側から複数の回折光に分割させている。具体的には、回折格子５は、直交する２つの方向に格子周期を有する直交回折格子であり、当該回折格子５を透過した光を、Ｘ方向とＹ方向とに分割し、回折光を形成する。回折格子５により形成される複数の回折光は、干渉することによって回折格子５から一定の距離だけ離れた位置に干渉縞を形成する。回折格子５からトールボット距離Ｌ１だけ離れた位置に形成される干渉縞がトールボット像である。図４は、次に説明する撮像手段６が撮像したトールボット像５５を示している。トールボット像５５は、図２に示した回折格子５を構成している複数のスリット５１，５２の形状が明確に現れている。そのため、この透過波面計測装置１は、直交する２方向の波面の歪みを同時に計測することを可能にしている。
【００４７】
回折格子５の回折光が形成する干渉縞は、次のような性質がある。上記のように、回折格子５によって形成される干渉縞は、図４に示すように、トールボット距離Ｌ１の位置では回折格子５の自己像が明確に現れる。これに対し、トールボット距離Ｌ１の半分の距離の位置では、トールボット距離Ｌ１の位置での感度の１／２で、位相が反転した干渉縞が形成される。また、トールボット距離Ｌ１の位置では、形成される干渉縞は、図５（Ａ）に示すように矩形波２００として現れる。これに対し、図５（Ｂ）に示すように、トールボット距離Ｌ１の位置及びトールボット距離Ｌ１の半分の距離の位置以外（図５（Ｂ）に距離Ｌ２として示している位置）では、形成される干渉縞は、正弦波２０１を描いている。なお、トールボット距離Ｌ１の位置以外では、干渉縞のコントラストが不鮮明になる。
【００４８】
本明細書では、次に説明する撮像手段６がトールボット距離Ｌ１の位置に配置されている場合を透過波面計測装置１の実施形態の代表例として説明している。しかし、撮像手段６は、処理部７でデータ処理を行うときに必要なデータの種類に応じ、トールボット距離Ｌ１の半分の距離の位置に配置してもよい。また、撮像手段６は、処理部７で低い感度の干渉縞のデータが必要な場合には、トールボット距離Ｌ１の位置及びトールボット距離Ｌ１の半分の距離の位置以外の位置に配置してもよい。その場合、上述したように、トールボット距離Ｌ１の位置以外では、干渉縞のコントラストが不鮮明になる。しかし、２次のトールボット像及び３次のトールボット像を利用することによって、高感度の計測をすることができる。
【００４９】
〈撮像手段〉
撮像手段６は、回折格子５により形成される複数の回折光が干渉することによって現れる干渉縞を撮像している。撮像手段６は、撮像した干渉縞をデジタル信号に変換することができるセンサ、例えば、ＣＣＤイメージセンサやＣＭＯＳイメージセンサ等の２次元撮像素子が用いられている。この撮像手段６は、回折格子５に形成されているスリット間のピッチの２倍以上の画素数を有するものが用いられている。
【００５０】
撮像手段６は、回折格子５から発せられた回折光がトールボット像を形成する位置に配置されている。具体的には、撮像装置は、次の（式２−１）で表されるＺＴの位置に配置されている。
【００５１】
ＺＴ＝２ｄ２／λ・・・・（式２−１）
【００５２】
この（式２−１）は、（式２）のＮに１を代入して表された式である。
【００５３】
また、上述したように、撮像手段６が配置される位置は、レンズ４が被検査物１００の像を共役結像する位置でもある。このように、撮像手段６は、レンズ４が共役結像を形成すると共に、回折格子５がトールボット像を形成する位置に配置されている。そのため、レンズが形成する共役結像と、回折格子５により形成されるトールボット像の位置とは一致され、共役結像して得られた被検査物の面と計測された位相分布とが正確に位置合わせされる。その結果、次に説明する処理部７は、トールボット像である干渉縞の撮像データをフーリエ変換法によって得られたデータに基づいて被検査物の屈折率と厚みとの積算値の分布を正確に演算することができる。
【００５４】
〈処理部〉
（位相分布の演算）
処理部７は、回折光により形成された干渉縞の撮像データをフーリエ変換法によって空間周波数スペクトルを演算し、この空間周波数スペクトルのデータに基づいて被検査物１０の屈折率と厚みとの積算値の分布を演算している。換言すると、被検査物１００の屈折率と厚みの積の値を演算することによって、被検査物１００に存在する「うねり」あるいは「むら」を求めている。この処理部７は、コンピュータ等が利用されていて、撮像手段６にケーブルによって接続されている。この処理部７は、特に図示していないが、データ取得部、記憶部、演算部及び表示部を備えている。データ取得部は、撮像手段６が撮像した干渉縞画像のデータを取得している。記憶部は、撮像手段６により撮像された干渉縞画像のデータを記憶している。演算部は、記憶部に格納された干渉縞画像のデータをフーリエ変換法によって微分位相像を演算している。具体的には、演算部は干渉縞画像データをフーリエ変換して空間周波数スペクトルを得る。次いで、空間周波数スペクトル中から１次スペクトルを切り取り、これを原点に戻して逆フーリエ変換する。その後、逆フーリエ変換して得られたデータに基づいて微分値を演算して位相分布を得ている。また、演算部は演算された微分位相像のデータに基づいて種々の解析を行っている。表示部は、撮像した画像や演算した結果に基づいてデータを処理して得られたグラフ等を表示する。
【００５５】
なお、演算部で行うフーリエ変換、逆フーリエ変換及び波面の微分値の演算は、次の（式４）、（式５）及び（式６）によってそれぞれ行っている。
【００５６】
【数４】
2015042967.tif 000006
【００５７】
なお、（式４）のＶは、（１式）で定義したνという関数をフーリエ変換して得られた関数である。
【００５８】
【数５】
2015042967.tif 000007
【００５９】
【数６】
2015042967.tif 000008
【００６０】
演算部は、まず、図４に示したトールボット像の画像データを（式４）によりフーリエ変換し、空間周波数スペクトル６０を演算する。図６は、得られた空間周波数スペクトル６０を図示したものである。図６に示すように、干渉パターンの周期に対応したピークは、図６の横方向及び縦方向のいずれにも中心から一定の間隔を空けて形成されている。
【００６１】
演算部は、次に、フーリエ変換して空間周波数スペクトルのうち１次スペクトル６１，６２，６３，６４、例えば、図７に示すように、１次スペクトル６１を切り取って原点に戻し、（式５）により逆フーリエ変換してトールボット像に位相分布（波面の微分値のデータ）を求める。その後、逆フーリエ変換して得られたトールボット像に位相分布（波面の微分値のデータ）に基づいて（式６）により演算して波面の位相分布を求めている。
【００６２】
（位相分布の校正）
この位相分布を求める際に、処理部７は、凹面鏡３を反射し、被検査物１００を透過した収束光３０に基づく回折光を撮像した撮像データから、凹面鏡３を反射し、被検査物１００を透過せずに直接レンズ４に到達した収束光３０に基づく回折光を撮像した画像データを差し引く校正を行っている。
【００６３】
図８は、この校正を模式的に表した図である。図８の左辺の第１項は、凹面鏡３を反射し、被検査物１００を透過した収束光３０に基づく回折光を撮像した撮像データから得られる画像である。この画像データは、凹面鏡のみの反射光に基づくデータと被検査物を透過した収束光に基づくデータが含まれている。左辺の第２項は、凹面鏡３を反射し、被検査物１００を透過せずに直接レンズ４に到達した収束光３０に基づく回折光を撮像した画像データから得られる画像である。図８の右辺は、被検査物１００を透過した光だけから得られる画像データに基づく画像である。
【００６４】
凹面鏡３の表面は、製造時の不可避的に生じるうねり等が存在し、理想的な曲面には形成されていないおそれがある。そのため、凹面鏡３を反射し、被検査物１００を透過した収束光３０に基づく回折光を撮像した撮像データは、凹面鏡３の表面のうねりが含まれ、被検査物１００それ自体の表面のうねり及び／又は厚さのばらつきだけを反映していないおそれがある。本発明の透過波面計測装置１は、凹面鏡３を反射し、被検査物１００を透過せずに直接レンズ４に到達した収束光３０に基づく回折光を撮像した画像データあらかじめ計測し、凹面鏡３を反射し、被検査物１００を透過した収束光３０に基づく回折光を撮像した撮像データから差し引くことによって、こうした凹面鏡３の表面のうねりが測定結果に反映されることを防止している。
【００６５】
（波面の演算）
演算部は、こうした校正を行った後の位相分布に基づいて、波面を求めている。波面を求める演算は、次の（式７）と（式８）を用いて行っている。
【００６６】
【数７】
2015042967.tif 000009
【００６７】
【数８】
2015042967.tif 000010
【００６８】
まず、（式７）によって、校正された位相分布のデータから微分波面を求める。次いで、（式８）により微分波面を１方向に積分を行って、波面を求める。（式８）は、台形公式法により積分をＸ方向に行う式である。Ｙ方向の波面を求める場合は、Ｘ方向と同様に、（式８）を用いてＹ方向について積分を行う。
【００６９】
（波面曲率の演算）
また、演算部は、こうした校正を行った後のデータに基づいて得られた位相分布のデータから波面の曲率を演算する。次の（式９）は、波面の曲率を演算する際の式である。なお、この（式９）は、上記した（式６）を置き換えた式であり、（式６）と（８）とは等号「＝」で結ぶことができる。
【００７０】
【数９】
2015042967.tif 000011
【００７１】
（式９）において、ｄは回折ピッチ（周期）、λは波長、１／ｒは曲率をそれぞれ表している。
【００７２】
（屈折率分布の定量化）
処理部７は、演算部が以上に求めた各データに基づいて、（式１０）を用い、屈折率の変位の分布（屈折率の変化量）を求め、屈折率分布の定量化を行っている。その際、演算部は、収束光３０が被検査物１００を透過する光路を平行光４０が被検査物１００を透過する光路に置換する補正を行っている。
【００７３】
【数１０】
2015042967.tif 000012
【００７４】
（式１０）のＷは波面、Δｎは屈折率の変化、Ｄは被検査物１００の厚さ、θは被検査物１００を横切る収束光３０が光軸となす角度を表している。
【００７５】
凹面鏡３から反射された収束光３０は、図９に示すように、光軸以外の位置では被検査物１００を斜めに横切るようにして透過する。また、透過する収束光３０の光軸に対する角度は、光軸から離れるにつれて大きくなる。そのため、演算された波面は、現実に平行光４０が被検査物１００を透過した場合の画像データに基づいて演算した波面に比べ誤差を含むことになる。本発明の透過波面計測装置１は、平行光４０が被検査物１００を透過した場合の光路に置換する補正を行って、演算された波面にこうした誤差が含まれることを防止している。
【実施例】
【００７６】
図１に示す透過波面計測装置１を用い、テンパックス系ガラスを被検査物１００のサンプルとして、その屈折率の変位の計測を行った。計測に用いた透過波面計測装置１を構成している光源２、凹面鏡３、レンズ４、回折格子５及び撮像手段６の各々のスペックは、それぞれ次のとおりである。
【００７７】
光源２は波長６３５ｎｍの単色光を発するレーザーダイオードであり、凹面鏡３は直径が１００ｍｍで、曲面の半径が１０００ｍｍであり、レンズ４は焦点距離が１５０ｍｍであり、回折格子５はスリットの間隔が０．１ｍｍである。画像の撮像に用いた撮像手段６は、１０２４×１０２４画素、画素間のピッチが１２μｍのＣＣＤイメージセンサである。
【００７８】
サンプルの計測に先立って、凹面鏡３のみの反射光に基づいて、以下の計測を行った。
【００７９】
（トールボット像の撮像）
まず、ＣＣＤイメージセンサで回折格子５を透過した光が形成するトールボット像を撮影した。具体的には、凹面鏡３の正面に配置されたサンプルに光源２から発散光２０を照射し、この凹面鏡３によって、サンプルから所定の距離だけ離れ且つ、光源２から光軸がずれた位置に配置されたレンズ４に向けて収束光３０を反射させた。次いで、レンズ４で収束光３０を平行光４０に変換させ、レンズ４と所定の間隔を空けて配置された２次元回折格子である回折格子５に平行光４０を透過させ、回折格子５によって回折光を形成させた。撮影手段６は、回折光がトールボット像を形成する位置に配置し、撮像手段状に形成されたトールボット像を当該撮像手段６であるＣＣＤイメージセンサで撮像した。
【００８０】
図１０は、撮像したトールボット像である。図１０に示すように、撮像されたトールボット像は、凹面鏡の輪郭が円形に現れている。円形に現れた輪郭の内側には、暗部として示されている複数の横縞と、同様に暗部として示されている複数の縦縞とが直交していることが示されている。こうした横縞と縦縞との間の領域は、複数の明部が現れている。なお、図１０（Ｂ）は、図１０（Ａ）の正方形で囲った枠の内部を拡大して示した画像である。
【００８１】
（位相分布の演算）
次に、撮像したトールボット像の画像データに基づいて空間周波数スペクトルを演算した。空間周波数スペクトルの演算は、（式４）によって得られた図１０に示したトールボット像の画像データをフーリエ変換して求めた。図１１は、演算された空間周波数スペクトルを図示したものである。図１１に示すように、１次スペクトル６１，６２，６３，６４は中央に位置する原点を囲むようにして等間隔をなして現れている。次いで、演算された空間周波数スペクトルのデータを（式５）により逆フーリエ変換してトールボット像の位相分布すなわち波面の微分値のデータを求めた。その後、（式６）により波面の位相分布を求めた。
【００８２】
（波面曲率の演算）
次に、位相分布のデータから理論式によって波面の曲率を演算した。波面の曲率を演算する際に用いた理論式は、（式６）である。また、（式６）により演算した波面の曲率が正確な値であるかどうかを確認するために、球面波の計測を行った。球面波の測定は、図１に示した装置を用い、光源２を凹面鏡３に近づけたり遠ざけたりして球面波を形成し、形成された球面波を計測して行った。
【００８３】
図１２は、（式６）によって得られた理論式と球面波を計測して得られた実測値とを同じグラフに表したものである。横軸は凹面鏡３の位置を表し、０の位置が光軸の位置である。この図１２に示したグラフは、光軸の位置を中心にＸ方向及びＹ方向について、＋方向と−方向の両方向について４ｍｍずつの範囲を図示している。グラフの縦軸は湾曲の程度、すなわち曲率を表している。グラフの実線で示した斜線は（式６）を用いて得られた理論値であり、グラフにプロットした「＋」はＸ方向の実測値であり、「○」はＹ方向の実測値である。この図１２に示すように、実測値は（式６）の理論式上にＸ方向の実測値及びＹ方向の実測値の双方が乗っており、Ｘ方向及びＹ方向のいずれも、理論値にほぼ一致している。例えば、曲率の実測値は、Ｘ方向及びＹ方向のいずれにおいても、−４ｍｍの位置では約０．２／ｍ、０ｍｍの位置（光軸上）では０／ｍ、４ｍｍの位置では約−０．２／ｍ、であり、いずれも理論式上に存在する。
【００８４】
（波面の演算）
次に、（式６）により演算した位相分布のデータに基づいて（式７）及び式（式８）によってＸ方向の波面を演算した。図１３は、位相分布の画像を波面の画像に変換したものを示している。図１３の左側は位相分布の画像であり、図１３の右側は波面の画像である。図１３の右側の画像に示すように、波面の画像は、左右両側に比べ中央が明るく表示されている。すなわち、Ｘ方向は、左右両側に比べ中央が凸上になっている。Ｙ方向についても同様に、（式６）により演算した位相分布のデータに基づいて（式７）及び式（式８）によってＹ方向の波面を演算することができる。
【００８５】
図１４は、上記ようにしてＸ方向及びＹ方向演算された理論値に基づいて形成した波面を３次元的にグラフ化した図であり、Ｘ方向及びＹ方向の各位置の波面を示している。この図１４は、曲率が−４．４９／ｍの凹面鏡３の波面をグラフ化したものである。図１４に示すように、波面の形状は、Ｘ方向及びＹ方向のいずれについても、上側に向けて凸になっており、Ｘの値及びＹの値が０の位置（光軸の位置）が頂部になっている。こうした曲率が−４．４９／ｍの凹面鏡３の波面の理論値と実測値との差異は、最小２乗誤差がわずかに０．０２７λであり、高い精度で波面を求めることができた。
【００８６】
（サンプルの計測）
以上に説明した透過波面計測装置１によって、テンパックス系ガラス基板をサンプルとし、その屈折率の変位の計測を行った。計測は、図１に示すように、凹面鏡３の表面側にサンプルを配置して行った。
【００８７】
図１５は、サンプルのトールボット像を撮像した画像を示している。なお、図１５の左側に撮像された暗い部分は、サンプルを保持するホルダである。図１５に示すように、サンプルの輪郭が矩形状に撮像されており、干渉縞の濃淡が輪郭の内側に存在する。
【００８８】
このようにして撮像されたトールボット像の画像データに基づいて、位相分布（微分値）の画像及び演算した曲率半径とサンプルの測定位置の関係をＸ方向及びＹ方向の双方について求めた。その際、凹面鏡３の表面に存在するうねり等の影響が計測したデータに現れることを防止するために、図８を参照して説明したように、凹面鏡３を反射し、被検査物１００を透過した収束光３０に基づく回折光を撮像した撮像データから、凹面鏡３を反射し、被検査物１００を透過せずに直接レンズ４に到達した収束光３０に基づく回折光を撮像した画像データを差し引く校正を行っている。
【００８９】
図１６（Ａ）は、Ｘ方向の位相分布（微分値）の画像を示したものであり、図１７（Ｂ）は、Ｙ方向の位相分布（微分値）の画像を示したものである。
【００９０】
図１６（Ａ）の画像に示すように、Ｘ方向の位相分布の画像は明暗が交互に現れていることが分かる。また、画像の左側は相対的に明るく、中央が相対的に暗い。画像の右側に向かうにつれて中央よりも相対的に明るくなっている。
【００９１】
これに対し、図１６（Ｂ）の画像に示すように、Ｙ方向の位相分布の画像は上側が相対的に明るく、下側に向かうにつれて徐々に暗くなっていることが分かる。
【００９２】
この図１６から、サンプルは次のように形成されていることが分かる。サンプルのＸ方向は、光軸の近傍が凹状に形成され、光軸よりも左側の領域が凸状に隆起し、光軸よりも見川の領域が、光軸の近傍よりも高かく且つ、光軸よりも左側の領域より低い位置に存在し、表面が全体的に波状に形成されていることが分かる。これに対し、サンプルのＹ方向は、ほとんどうねりが存在せず、光軸の上側から下側に向けて緩やかに傾斜をしていることが分かる。
【００９３】
図１７は、光軸よりもＸ方向の右側の領域且つ光軸よりもＹ方向の上側の領域について、波面を３次元的にグラフ化したものである。図１８に示すように、サンプルのＸ方向は、光軸より右側の領域では、端部側から光軸に向かうにつれ下側に傾斜している。また、サンプルのＸ方向は、上下に波状をなしていることが分かる。これに対し、Ｙ方向は、大きなうねりが存在せず、緩やかに傾斜していることが分かる。
【００９４】
（屈折率変位の分布の定量化）
最後に、屈折率変位の分布の定量化を行った。サンプルのＸ方向及びＹ方向の波面を３次元的グラフ化した。なお、定量化を行う際、（式１０）によって補正を行った。図１８は、定量化した画像を示している。図１８において、画像の最も暗く表された領域は、屈折率が−１．６７×１０−３であり、画像のもっとも明るく表された領域は、屈折率が５．４３×１０−２である。屈折率変位の分布の定量化を行った結果、図１８に示すように、サンプルの屈折率は、−１．６７×１０−３〜５．４３×１０−２であることが判明した。
【符号の説明】
【００９５】
１  透過波面計測装置
２  光源
３  凹面鏡
４  レンズ
５  回折格子
６  撮像手段
７  演算部
２０  発散光
３０  収束光
４０  平行光
５１，５２  スリット
５５  トールボット像
６１，６２，６３，６４  １次スペクトル
１００  被検査物
２００  矩形波
２０１  正弦波
【図１】
2015042967.tif 000013
【図２】
2015042967.tif 000014
【図３】
2015042967.tif 000015
【図４】
2015042967.tif 000016
【図５】
2015042967.tif 000017
【図６】
2015042967.tif 000018
【図７】
2015042967.tif 000019
【図９】
2015042967.tif 000020
【図１２】
2015042967.tif 000021
【図８】
2015042967.tif 000022
【図１０】
2015042967.tif 000023
【図１１】
2015042967.tif 000024
【図１３】
2015042967.tif 000025
【図１４】
2015042967.tif 000026
【図１５】
2015042967.tif 000027
【図１６】
2015042967.tif 000028
【図１７】
2015042967.tif 000029
【図１８】
2015042967.tif 000030